(57)【要約】  【課題】放射線防護扉の改修工事を行うときに、既存の建具の枠部分を取り外さないで、新規の放射線防護建具が取り付けられるような放射線防護扉の改造方法を提供する。  【解決手段】既存左壁４に付設された左壁側既存スチール枠４ａの表面部分には、下地調整用合板１０ａ，１０ｂと合板１１ａ，１１ｂとスチール板１２と鉛板１３とスチール枠１４とによって積層された放射線防護枠１５が、皿ビス１６ａ，１６ｂによって既存左壁４に固着されている。既存右壁５の右壁側既存スチール枠５ａの表面部分に固着された放射線防護枠１５も同様の構成となっている。既存左壁４に設置された放射線防護枠１５の端部の蝶番２５には、表面が鉛板２２で覆われた放射線防護扉２０の一端が回動自在に取り付けられている。これにより、放射線防護扉２０を閉にすれば、既存左壁４側の放射線防護枠１５と既存右壁５側の放射線防護枠１５とにより放射線の漏洩を防止できる。【選択図】図４
2011257277.tif 000002
【特許請求の範囲】
【請求項１】
既存の放射線防護建具を新規の放射線防護建具に交換するときの放射線防護扉の改造方法であって、
前記既存の放射線防護建具の枠部分を取り外すことなく、前記新規の放射線防護建具の取り付けを行うＲＦ工法を適用することを特徴とする放射線防護扉の改造方法。
【請求項２】
前記ＲＦ工法は、鉛板で覆われた放射線防護枠を既存壁の枠部分に固着し、前記放射線防護枠に前記新規の放射線防護建具を取り付けることを特徴とする請求項１記載の放射線防護扉の改造方法。
【請求項３】
前記放射線防護枠は、厚みの調整が可能な下地調整合板と合板（溶接の場合は不要）と、スチール板と、鉛板と、スチール枠とが積層されて構成されていることを特徴とする請求項２記載の放射線防護扉の改造方法。
【発明の詳細な説明】
【技術分野】
【０００１】
本発明は放射線防護扉の改造方法に関するものであり、特に、Ｘ線診療室の入口に設置された放射線防護建具を交換したり開き勝手を変更したりするときの放射線防護扉の改造方法に関するものである。
【背景技術】
【０００２】
従来より、Ｘ線診療室の入口に設置された放射線防護扉は、建具の内部に鉛板が張り合わされ、さらに、該鉛板の表面にポリ合板などが張り合わされて構成されている。これによって、放射線防護扉を閉めたときには、Ｘ線診療室内の放射線（Ｘ線）が外部へ漏れないようになっている。
【先行技術文献】
【特許文献】
【０００３】
【特許文献１】特開平０８−３６０９２号公報
【発明の概要】
【発明が解決しようとする課題】
【０００４】
病院や診療所などのユーザ側の要望によって、現在使用しているＸ線診療室の放射線防護扉を取り替えたり、該放射線防護扉の開き勝手を変更したりする改修工事を行う場合がある。あるいは、Ｘ線診療室内のＸ線装置の入れ替えによって行うために放射線防護扉の遮蔽性能（鉛当量）を変更するときに放射線防護扉を取り替える場合がある。このような放射線防護扉の改修工事を行う場合は、一般的には、既存の建具の枠部分を取り外さなければならない。言い換えると、Ｘ線診療室内を改修工事したり、Ｘ線診療室に設置された放射線防護建具からのＸ線の漏洩を防止するための補修工事を行う場合は、現在の建具の枠部分も取り外して改修工事を行わなければならない。そのため、Ｘ線診療室の放射線防護扉の改修工事に長い時間と高コスト（枠撤去コスト及び廃棄コスト等）がかかってしまい、その期間は当該Ｘ線診療室を使用できないなどの不具合が生じる。
【０００５】
そこで、Ｘ線診療室等の放射線防護扉の改修工事を行うときに、既存の建具の枠部分を取り外さないで、新規の放射線防護建具を取り付けられるような放射線防護扉の改造方法を実現するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、既存の放射線防護建具を新規の放射線防護建具に交換するときの放射線防護扉の改造方法であって、前記既存の放射線防護建具の枠部分を取り外すことなく、前記新規の放射線防護建具の取り付けを行うレインフォース工法（以下ＲＦ工法という）を適用することを特徴とする放射線防護扉の改造方法を提供する。
【０００７】
この方法によれば、既存の放射線防護建具を新規の放射線防護建具に交換するときに、既存の放射線防護建具の枠部分をそのまま利用して新規の放射線防護建具の取り付けを行っている。すなわち、既存の放射線防護建具の枠部分の骨組みをそのまま利用して新規の放射線防護建具を取り付けるＲＦ工法を適用している。これによって、廃棄物の低減化、工費の削減化、工期の短縮化、及び工事中における騒音発生の防止などを図ることができる。
【０００８】
請求項２記載の発明は、前記ＲＦ工法は、鉛板を入れた放射線防護枠を既存壁の枠部分に固着し、前記放射線防護枠に前記新規の放射線防護建具を取り付けることを特徴とする請求項１記載の放射線防護扉の改造方法を提供する。
【０００９】
この方法によれば、ＲＦ工法として、既存壁の枠部分に対して鉛板で覆われた放射線防護枠を追加工して固着した後に、その放射線防護枠に対して新規の放射線防護扉を取り付けている。これによって、新規の放射線防護建具の取り付け部分におけるＸ線の遮蔽性能（すなわち、鉛当量）が増加するので、Ｘ線診察室からのＸ線の漏洩をさらに低減させることができる。
【００１０】
請求項３記載の発明は、前記放射線防護枠が、厚みの調整が可能な下地調整合板（溶接の場合不要）と、合板と、スチール板と、鉛板と、スチール枠とによって構成されることを特徴とする請求項２記載の放射線防護扉の改造方法を提供する。
【００１１】
この方法によれば、前記放射線防護枠は、下地調整合板、合板、スチール板、鉛板、及びスチール枠が積層されて構成されているので、スチール枠の形状を変えれば、様々な形状の既存枠に対して新規の放射線防護枠を取り付けることができる。その結果、様々な形状の既存の放射線防護扉を取り外した後に、新規の放射線防護扉を取り付けることが可能となるので、放射線防護建具の改造工事の多様化を図ることができる。
【発明の効果】
【００１２】
請求項１記載の発明は、既存の枠部分をそのまま利用したレＲＦ工法によって新規の放射線防護扉を取り付けているので、廃棄物の低減化、工費の削減化、工期の短縮化、及び工事中における騒音発生の防止などを実現することができる。
【００１３】
請求項２記載の発明は、ＲＦ工法として、既存の枠部分に対して新規に固着した放射線防護枠へ新規の放射線防護扉を取り付けている。従って、請求項１記載の発明の効果に加えて、新規の放射線防護建具の取り付け部分におけるＸ線の遮蔽性能（鉛当量）を増加させることができるので、Ｘ線診察室からのＸ線の漏洩をさらに低減させることが可能となる。
【００１４】
請求項３記載の発明は、スチール枠の形状を変えれば、様々な形状の既存枠に対して放射線防護枠を取り付けることができる。従って、請求項２記載の発明の効果に加えて、様々な形状の既存の放射線防護扉を取り外した後に新規の放射線防護扉を取り付けることが可能となるので、放射線防護建具の改造工事の多様化を図ることができる。
【図面の簡単な説明】
【００１５】
【図１】既存の放射線防護扉を取り外したときの枠部分の縦断面図。
【図２】既存の放射線防護扉を取り外したときの枠部分の横断面図。
【図３】図１に示す枠部分を改良して新規の放射線防護扉を取り付けたときの縦断面図。
【図４】図２に示す枠部分を改良して新規の放射線防護扉を取り付けたときの横断面図。
【発明を実施するための形態】
【００１６】
本発明は、Ｘ線診療室の放射線防護建具の改修工事を行うときに、既存の建具の枠部分を取り外さないで、新規の放射線防護建具を取り付けられるような放射線防護建具の改造方法を実現させるという目的を達成するために、既存の放射線防護建具を新規の放射線防護建具に交換するときの放射線防護扉の改造方法であって、前記既存の放射線防護建具の枠部分を取り外すことなく、前記新規の放射線防護建具の取り付けを行うＲＦ工法を適用することによって実現した。
【００１７】
すなわち、本発明に係る放射線防護扉の改造方法は、Ｘ線診療室内を改修工事したり、Ｘ線診療室に設置された放射線防護建具からのＸ線の漏洩を補修するための補修工事を行うときに、既存の建具の枠部分を取り外さずに新規の放射線防護建具の取り付けを行う工法、いわゆるＲＦ工法を行うことを特徴としている。
【００１８】
このＲＦ工法は、既存の放射線防護鋼製建具、又は既存の放射線防護木製建具の扉を取り外し、既存の枠部分を新規の放射線防護枠で覆うことによって、新規に設置した放射線防護建具の枠や枠廻りからのＸ線の漏洩を防止するようにした工法である。以下、本発明の好適な実施例を図１乃至図４に従って詳細に説明する。
【実施例】
【００１９】
図１は、既存の放射線防護扉を取り外したときの枠部分の縦断面図である。同図において、左側がレントゲン更衣室側であり、右側がレントゲン撮影場側である。すなわち、同図は、既存の放射線防護扉の改修工事を行うにあたって、既存上壁１と既存床２との間に設置されていた放射線防護扉（既存扉３）を取り外したときの縦断面状態を示している。この既存上壁１と既存床２との間隔は、既存扉３の高さに合わせて、例えば、高さが２ｍ程度になっている。また、既存上壁１における既存扉３の取り付けられていた部分には天井壁側既存スチール枠１ａが付設され、既存床２における既存扉３の取り付けられていた部分には既存沓摺２ａが付設されている。
【００２０】
図２は、既存の放射線防護扉を取り外したときの枠部分の横断面図である。同図において、上側がレントゲン更衣室側であり、下側がレントゲン撮影場側である。すなわち、同図は、既存の放射線防護扉の改修工事を行うにあたって、既存左壁４と既存右壁５との間に設置されていた放射線防護扉（既存扉３）を取り外したときの横断面状態を示している。この既存左壁４と既存右壁５との間隔は、既存扉３の幅に合わせて、例えば、幅が０．８ｍ程度になっている。また、既存左壁４における既存扉３の取り付けられていた部分には左壁側既存スチール枠４ａが付設され、既存右壁５における既存扉３の取り付けられていた部分には右壁側既存スチール枠５ａが付設されている。
【００２１】
図３は、図１に示す枠部分を改良して新規の放射線防護扉を取り付けたときの縦断面図である。同図において、左側がレントゲン更衣室側であり、右側がレントゲン撮影場側である。すなわち、同図は、ＲＦ工法により、既存の枠部分を改良して新規の放射線防護扉を設置したときの該放射線防護扉の周辺部分の縦断面を示している。
【００２２】
図３において、既存上壁１に付設された上壁側既存スチール枠１ａの表面部分には、下地調整用合板１０ａ，１０ｂと合板１１ａ，１１ｂとスチール板１２と鉛板１３とスチール枠１４とによって構成された放射線防護枠１５が、皿ビス１６ａ，１６ｂによって既存天井壁１に固着されている。すなわち、既存天井壁１における新規の放射線防護扉２０の取付け部分に新規の放射線防護枠１５を設置する。尚、放射線防護枠１５の端部における既存天井壁１側には、コーキング１７ａ，１７ｂの処理が施されている。
【００２３】
また、図３において、既存床２の表面領域は長尺塩ビシート１８で覆われている。さらに、既存床２の放射線防護扉２０の取付け部分における既存沓摺２ａの表面にはコーキング１９の処理が施されている。
【００２４】
このようにして、既存上壁１と既存床２とに追加工処理を施した後、既存上壁１に設置した放射線防護枠１５と、既存沓摺２ａとの間に新規の放射線防護扉２０を設置する。この放射線防護扉２０は、ペーパーハニカム２１のレントゲン更衣室側に面した表面全域に鉛板２２が張り合わされ、該鉛板２２の表面全域とペーパーハニカム２１の裏面全域には化粧用のポリ合板２３ａ，２３ｂが張り合わされている。
【００２５】
図４は、図２に示す枠部分を改良して新規の放射線防護扉を取り付けたときの横断面図である。同図において、上側がレントゲン更衣室側であり、下側がレントゲン撮影場側である。すなわち、同図は、ＲＦ工法により、既存の枠部分を改良して新規の放射線防護扉を設置したときの、該放射線防護扉の周辺部分の横断面を示している。
【００２６】
図４において、既存左壁４に付設された左壁側既存スチール枠４ａの表面部分には、下地調整用合板１０ａ，１０ｂと合板１１ａ，１１ｂとスチール板１２と鉛板１３とスチール枠１４とによって積層された放射線防護枠１５が、皿ビス１６ａ，１６ｂによって既存左壁４に固着されている。すなわち、既存左壁４における新規の放射線防護扉２０の取付け部分に新規の放射線防護枠１５を設置する。尚、放射線防護枠１５の端部における既存左壁４側にはコーキング１７ａ，１７ｂの処理が施されている。
【００２７】
さらに、既存左壁４に設置された放射線防護枠１５の端部には、放射線防護扉２０を開閉するための蝶番２５が取り付けられている。
【００２８】
同様にして、既存右壁５に付設された右壁側既存スチール枠５ａの表面部分には、下地調整用合板１０ａ，１０ｂと合板１１ａ，１１ｂとスチール板１２と鉛板１３とスチール枠１４とによって構成された放射線防護枠１５が、皿ビス１６ａ，１６ｂによって既存右壁５に固着されている。すなわち、既存右壁５における新規の放射線防護扉２０の取付け部分に新規の放射線防護枠１５を設置する。尚、放射線防護枠１５の端部における既存右壁５側にはコーキング１７ａ，１７ｂの処理が施されている。
【００２９】
このようにして、既存左壁４と既存右壁５とのそれぞれに放射線防護枠１５の追加工処理を施した後、既存左壁４に付設した放射線防護枠１５と、既存右壁５に付設した放射線防護枠１５との間に新規の放射線防護扉２０を設置する。そして、既存左壁４側の放射線防護枠１５に付設された蝶番２５に対して、放射線防護扉２０の一方の端部を回動自在に取り付ける。
【００３０】
尚、放射線防護扉２０は、ペーパーハニカム２１のレントゲン更衣室側に面した表面全域に鉛板２２が張り合わされ、該鉛板２２の表面全域と合板２１の裏面全域に化粧用のポリ合板２３ａ，２３ｂが張り合わされている。
【００３１】
以上を要約すると、既存左壁４に付設された左壁側既存スチール枠４ａの表面部分には、下地調整用合板１０ａ，１０ｂと合板１１ａ，１１ｂとスチール板１２と鉛板１３とスチール枠１４とによって構成された放射線防護枠１５が、皿ビス１６ａ，１６ｂによって既存左壁４に固着されている。また、既存右壁５の右壁側既存スチール枠５ａの表面部分に固着された放射線防護枠１５も同様の構成となっている。そして、既存左壁４に設置された放射線防護枠１５の端部の蝶番２５に、表面が鉛板２２で覆われた放射線防護扉２０の一端が回動自在に取り付けられている。
【００３２】
これによって、放射線防護扉２０を閉にすれば、該放射線防護扉２０に張り合わされた鉛板２２によってＸ線を遮蔽することができると共に、既存左壁４側の放射線防護枠１５と既存右壁５側の放射線防護枠１５とによって、放射線防護扉２０の隙間部分からのＸ線（放射線）の漏洩を防止することができる。
【００３３】
以上説明したように、本発明に係る放射線防護扉の改造方法によれば、既存の放射線防護扉の改修時に廃棄するのは、既存の扉と取付金具だけであるので、廃棄物の発生が低減されて工費節減を図ることができると共に、環境に優しい改修工事を行うことができる。さらに、既存の放射線防護建具の改修時において既存の枠部分を解体することがないので、工事中に騒音が発生しないために病院の診療中においても工事を行うことができる。そのため、放射線防護建具の改修工事の工期を短縮化することができる。
【００３４】
また、本発明に係る放射線防護建具の改造方法によれば、既存壁に対して新規に付設する放射線防護枠はスチールの曲げ物等で製作することができるため、各病院の放射線防護扉ごとに異なる様々な既存枠の形状に対応して取り付けることができるので、工費の削減化を図ることが可能となる。さらに、新規に取り付ける放射線防護扉は、新規にアルミエッジドアを採用すれば、扉を軽量にすることができるので開閉操作をスムーズに行うことができる。
【００３５】
尚、上記の実施例は、既存の放射線防護扉を取り外した後に、１枚の新規な放射線防護扉を取り付ける場合について説明したが、新規に両開き（観音開き）の放射線防護扉を取り付けることもできる。この場合も、前述の図３、図４で示した構成と同様に、既存の枠部分に対して新規の放射線防護枠を取り付け、既存左壁側の放射線防護枠と既存右壁側の放射線防護枠に対して、両開き放射線防護扉のそれぞれの端部を取り付ければよい。
【００３６】
以上、本発明に係る放射線防護扉の改造方法について詳細に説明したが、本発明はこの実施例に限定されるものではなく、本発明の精神を逸脱しない限り種々の改変を為すことができ、そして、本発明が該改変されたものに及ぶことは当然である。
【産業上の利用可能性】
【００３７】
本発明に係る放射線防護扉の改造方法は、既存壁をそのまま利用して新規の放射線防護扉を設置することができるので、病院や診療所のレントゲン室において有効に利用することができる。
【符号の説明】
【００３８】
１    既存上壁
１ａ  天井壁側既存スチール枠
２    既存床
２ａ  既存沓摺
３    既存扉
４    既存左壁
４ａ  左壁側既存スチール枠
５    既存右壁
５ａ  右壁側既存スチール枠
１０ａ、１０ｂ  下地調整用合板
１１ａ、１１ｂ  合板
１２  スチール板
１３  鉛板
１４  スチール枠
１５  放射線防護枠
１６ａ、１６ｂ  皿ビス
１７ａ、１７ｂ  コーキング
１８  長尺塩ビシート
１９  コーキング
２０  放射線防護扉
２１  ペーパーハニカム
２２  鉛板
２３ａ、２３ｂ  ポリ合板
２５  蝶番
【図１】
2011257277.tif 000003
【図２】
2011257277.tif 000004
【図３】
2011257277.tif 000005
【図４】
2011257277.tif 000006